(57)【要約】【課題】着用者が所望する浮力を容易に得ることができる浮力付与具を提供する。【解決手段】着用者が呼気で気室袋を膨らませて広げたときでも開く強度で閉じる面ファスナ２０、つまり、着用者（例えば、洋上や水中（海中を含む。）にいる着用者など）が呼気で気室袋を膨らませて広げたときでも、収容体１０の外側の縁の結合状態を解除する強度で当該縁を結合する面ファスナ２０を採用する。また、送気管が常時外部に露出している。【選択図】図３
2017128280.tif 000002
【特許請求の範囲】
【請求項１】
着用者に浮力を付与する浮力付与具であって、
内部に気室を形成する気室袋と、
前記気室袋に接続され、前記着用者により吹き込まれた息を前記気室に送る送気管と、
前記気室袋を畳んだ状態で収容する収容体と、
前記収容体の第１部分と第２部分とを結合させて前記収容体を閉じた状態とする結合手段と、を備え、
前記送気管は、前記着用者が前記浮力付与具を着用したとき、かつ、前記気室袋が前記収容体に収容されているときに、前記着用者が前記息を吹き込むことが可能な位置に配置され、
前記結合手段は、前記着用者の前記息により前記畳んだ状態の気室袋が膨らんで広がったときに前記第１部分と前記第２部分との結合が解除される強さで、前記第１部分と前記第２部分とを結合する、
ことを特徴とする浮力付与具。
【請求項２】
前記気室袋は、前記着用者の首を囲む逆Ｕ字形状であり、
前記送気管は、前記気室袋の逆Ｕ字の足の部分の幅方向における内側の位置に配置されており、前記着用者が前記浮力付与具を着用した状態で前記気室袋が膨らむと前記送気管における前記息が吹き込まれる部位が逆Ｕ字の内側に向かって移動する、
ことを特徴とする請求項１に記載の浮力付与具。
【請求項３】
前記送気管は、前記収容体に設けられた貫通孔に挿入された状態で前記気室袋と接続している、
ことを特徴とする請求項１又は２に記載の浮力付与具。
【請求項４】
前記気室袋に接続され、ガスボンベに充填されたガスを前記気室に供給して当該気室袋を膨らませるガス供給装置をさらに備える、
ことを特徴とする請求項１〜３のいずれかに記載の浮力付与具。
【請求項５】
前記送気管は、前記気室内の気体を排出可能である、
ことを特徴とする請求項１〜４のいずれかに記載の浮力付与具。
【請求項６】
着用者に浮力を付与する浮力付与具であって、
内部に気室を形成する気室袋と、
前記気室袋に接続され、前記着用者により吹き込まれた息を前記気室に送る送気管と、
前記気室袋を畳んだ状態で収容する収容体と、を備え、
前記気室袋は、膨らんでいない状態から前記着用者の息によって膨らむことが可能である、
ことを特徴とする浮力付与具。
【発明の詳細な説明】
【技術分野】
【０００１】
本発明は、着用者に浮力を付与する浮力付与具に関する。
【背景技術】
【０００２】
特許文献１には、空気圧縮ボンベからの空気により、気室が膨らむ救命具が開示されている。
【先行技術文献】
【特許文献】
【０００３】
【特許文献１】特開平１１−１０５７８６号公報
【発明の概要】
【発明が解決しようとする課題】
【０００４】
例えば、孤島への上陸作戦に従事する自衛官は、重装備の状態で、海を遠泳したり、海面付近で静止したりしなければならない。従って、自衛官は、浮力付与具を着用することが望ましい。ここで、浮力付与具として特許文献１の救命具を使用する場合、当該救命具では、まず空気圧縮ボンベからの空気により気室が一気に膨らんでしまうので、すぐに大きな浮力が得られる反面、その大きな浮力が上記行動（特に遠泳）を邪魔してしまう。この例示のように、当該救命具では、着用者の意図にそぐわない浮力が得られてしまうことがある。
【０００５】
なお、本明細書における、浮力付与具が付与する「浮力」は、重力に逆らって浮力付与具の着用者を浮かせる力をいい、例えば、「ρＶｇ（物理量としての浮力）−ｍｇ（重力）」で得られる力を指すものとする。「ρ」は、浮力付与具が付与する浮力を生じさせる流体（海水など）の密度であり、「Ｖ」は、気室内の気体のうち流体の上面（水面等）よりも下にある部分の体積であり、「ｇ」は、重力加速度であり、「ｍ」は、気室内の気体のうち流体の上面（水面等）よりも下にある部分の重量である。当該浮力は、気体の量に応じて増減する。
【０００６】
本発明は、着用者が所望する浮力を容易に得ることができる浮力付与具を提供することを目的とする。
【課題を解決するための手段】
【０００７】
上記目的を達成するため、本発明の第１の観点に係る浮力付与具は、
着用者に浮力を付与する浮力付与具であって、
内部に気室を形成する気室袋と、
前記気室袋に接続され、前記着用者により吹き込まれた息を前記気室に送る送気管と、
前記気室袋を畳んだ状態で収容する収容体と、
前記収容体の第１部分と第２部分とを結合させて前記収容体を閉じた状態とする結合手段と、を備え、
前記送気管は、前記着用者が前記浮力付与具を着用したとき、かつ、前記気室袋が前記収容体に収容されているときに、前記着用者が前記息を吹き込むことが可能な位置に配置され、
前記結合手段は、前記着用者の前記息により前記畳んだ状態の気室袋が膨らんで広がったときに前記第１部分と前記第２部分との結合が解除される強さで、前記第１部分と前記第２部分とを結合する、
ことを特徴とする。
【０００８】
上記目的を達成するため、本発明の第２の観点に係る浮力付与具は、
着用者に浮力を付与する浮力付与具であって、
内部に気室を形成する気室袋と、
前記気室袋に接続され、前記着用者により吹き込まれた息を前記気室に送る送気管と、
前記気室袋を畳んだ状態で収容する収容体と、を備え、
前記気室袋は、膨らんでいない状態から前記着用者の息によって膨らむことが可能である、
ことを特徴とする。
【発明の効果】
【０００９】
本発明によれば、着用者が所望する浮力を容易に得ることができる。
【図面の簡単な説明】
【００１０】
【図１】本発明の一実施形態に係る浮力付与具を前から見た図である。
【図２】本発明の一実施形態に係る浮力付与具を後から見た図である。
【図３】本発明の一実施形態に係る浮力付与具の収容体の図である。
【図４】本発明の一実施形態に係る浮力付与具の気室袋の図である。
【図５】図４のＡ−Ａ断面図である。
【図６】気室袋が非膨張時であるときの浮力付与具を着用者が着用した様子を示す写真である。
【図７】気室袋が膨張時であるときの浮力付与具を着用者が着用した様子を示す写真である。
【発明を実施するための形態】
【００１１】
浮力付与具１は、図１等に示すように、その浮力付与具本体（後述のストラップ等を抜いた部分であり、後述の気室袋３０を収容した収容体１０）が逆Ｕ字形状（特に、着用者の首を囲む形状）であり、着用者の首回りに着用される（図６などを参照）。なお、以下の説明における上下左右、前後（表裏）は、浮力付与具１を着用する着用者を基準とした方向である。
【００１２】
（浮力付与具１の構成）
浮力付与具１は、図１〜図５に示すように、収容体１０と、面ファスナ２０と、気室袋３０と、送気管４０と、ガス供給装置５０と、クッション６０と、縦ストラップ部７０と、横ストラップ部８０と、を備える。浮力付与具１は、ナイロン布などの化学繊維製の布などを縫い合わせて構成される。
【００１３】
収容体１０は、逆Ｕ字形状の第１布製部材１１と、逆Ｕ字形状の第２布製部材１２と、保持部１５と、を備える。収容体１０は、全体として逆Ｕ字形状となっている。第１布製部材１１は、逆Ｕ字形状の第１生地１１Ａと、第１生地１１Ａの外側の縁を補強する縁取り布１１Ｂと、第１生地１１Ａの左下位置（逆Ｕ字の左足部分）に形成され、後述の送気管４０が通る貫通孔１１Ｈと、を備える。第２布製部材１２は、逆Ｕ字形状の第２生地１２Ａと、第２生地１２Ａの外側の縁を補強する縁取り布１２Ｂと、を備える。なお、第２生地１２Ａの上側部分１２ＡＡは、メッシュ状の布になっており、下側部分１２ＡＢは、穴のない非メッシュ状の布になっている（他の部材も、基本的には非メッシュ状の布になっている）。上側部分１２ＡＡと、下側部分１２ＡＢとは、縫い合わされ、第２生地１２Ａを構成する。上側部分１２ＡＡをメッシュ状にすることで蒸れなどを防止する。
【００１４】
第１布製部材１１と、第２布製部材１２とは、逆Ｕ字の内側部分（縁取り布１１Ｂ及び１２Ｂが設けられていない縁）において縫い合わされて一体となっている。なお、縫い代は適宜設けられる（以下、他の部材の縫い合わせについても同じ）。
【００１５】
保持部１５は、第１布製部材１１における逆Ｕ字の左足部分に、撓ませた状態で縫い付けられた布部材である。保持部１５には、送気管４０の口付け部４１が保持される。
【００１６】
面ファスナ２０は、縁取り布１１Ｂに固定されたオス面２１と、縁取り布１２Ｂに固定されたメス面２３と、から構成される。これらの固定方法は、縫う、接着するなど適宜の方法であればよい。また、オス・メスは、逆でもよい。オス面２１とメス面２３とがくっつくこと（面ファスナ２０が閉じること）で、収容体１０の外側の縁が結合する。オス面２１及びメス面２３は、それぞれ、縁取り布１１Ｂ及び１２Ｂの右側下部から左側下部にわたって設けられる。オス面２１とメス面２３とは、気室袋３０の呼気による膨張など（詳しくは後述）に伴って離間可能な強さでくっつく（接合する）。
【００１７】
気室袋３０は、全体として逆Ｕ字形状であり、輪郭が同じ表生地３１及び裏生地３３を有する。表生地３１及び裏生地３３により、気室袋３０の内部に気室３０Ａが形成されている。表生地３１及び裏生地３３は、それぞれ、ナイロン布などの化学繊維性の布と、当該布の少なくとも内面（互いに対向する面）全面に形成された気密性を有する樹脂層又はゴム層とを有する。表生地３１と裏生地３３とは、逆Ｕ字の輪郭をなぞった形状の閉曲線を形成する所定部分３５にて、溶着又は接着されている。なお、図５は、溶着の一例としての熱圧着を採用した図である。所定部分３５は、気室３０Ａを画する部分である。従って、気室３０Ａは、逆Ｕ字形状となっている。
【００１８】
表生地３１の左下の部分（逆Ｕ字の左足部分）には送気管４０が取り付けられている。表生地３１の右下の部分（逆Ｕ字の右足部分）にはガス供給装置５０が取り付けられている。
【００１９】
送気管４０は、その内部空間が表生地３１に形成された貫通孔を介して気室３０Ａと連通している管状部材である。このような構成の送気管４０は、気室３０Ａに空気を供給する、及び、気室３０Ａから空気を排出するための管状部材である。送気管４０は、着用者が口を付けて息（呼気）を吹き込む口付け部４１を有する。口付け部４１は、着用者により押し下げ可能となっている。送気管４０は、口付け部４１が初期位置にあるとき（非押圧時）に閉鎖状態となり、口付け部４１が押されて所定位置まで下がったとき（押圧時）に開放状態（送気管４０内を空気が通ることができる状態）となる。口付け部４１は、弾性体で付勢されており、着用者による押し下げ操作が終了すると初期位置に戻る。
【００２０】
送気管４０が閉鎖状態のときには、気室３０Ａに空気（呼気）は供給されないし、気室３０Ａから空気が排出されない。送気管４０が開放状態のときには、口付け部４１の中央の空気孔を介して、気室３０Ａに空気を供給可能、かつ、気室３０Ａから空気が排出可能である。特に、着用者は送気管４０に息を吹き込むことができ、このときには、当該息（呼気）は、前記空気孔から送気管４０を通って気室３０Ａに到達する。このように、送気管４０は、着用者から吹き込まれた息を気室３０Ａに送る（案内する）役割を有する。なお、気室袋３０（気室３０Ａ）は、送気管４０から空気（呼気）が供給されると、膨らむ。
【００２１】
送気管４０の取り付け位置は、気室３０Ａ（気室袋３０）の左下の部分（逆Ｕ字の左足部分）における、幅方向の中央よりも内側に位置している。
【００２２】
ガス供給装置５０は、ガスボンベ５１と、開封機構５２と、作動索５３と、を備える。作動索５３が着用者により引かれると、これに連動して開封機構５２がガスボンベ５１を開封する。ガスボンベ５１には、圧縮空気が充填されているので、ガスボンベ５１が開封されると、気室３０Ａに空気が一気に供給され、気室袋３０（気室３０Ａ）が膨らむ。この実施の形態では、気室袋３０は、最大の大きさまで膨らむ（浮力が最大となる。）。
【００２３】
クッション６０は、収容体着用者の首の後側部分又は後頭部に当たり、着用感を良くするためのものである。クッション６０は、第１布製部材１１と第２布製部材１２との上部の境界部分に縫い付けられている。
【００２４】
縦ストラップ部７０は、上下方向に延び、長さが調整可能である。縦ストラップ部７０は、第１ストラップ７１と、アジャスタ７２と、第２ストラップ７３と、を備える。第１ストラップ７１の上端部は第２布製部材１２に縫い付けられており、下端部はアジャスタ７２により折り返され、この折り返しによって重なる部分が縫い合わされる（縫い目Ｎ１参照）。このようにして、第１ストラップ７１の他端部には、アジャスタ７２が取り付けられる。第２ストラップ７３の一端部はアジャスタ７２により折り返される。第２ストラップ７３の他端部も折り返され、この折り返しによって重なる部分のうちの上部が縫い合わされる（縫い目Ｎ２参照）。縫い付けられていない下側部分の内部には、後述の横ストラップ部８０の第１ストラップ８１が通る。
【００２５】
このような構成により、第２ストラップ７３の前記一端部の折り返された部分の長さを調整する（例えば、当該折り返された部分を引っ張る）ことで、縦ストラップ部７０の上下方向の長さを調整することができる。
【００２６】
横ストラップ部８０は、浮力付与具１を着用者が着用したときに当該着用者の胴回りに沿って延び、長さが調整可能である。横ストラップ部８０は、第１ストラップ８１と、第１アジャスタ８２と、第２アジャスタ８３と、を備える。第１ストラップ８１の両端部は、第１アジャスタ８２と第２アジャスタ８３とで折り返され、この折り返しによって重なる部分が縫い合わされる（縫い目Ｎ３及びＮ４参照）。このようにして、第１ストラップ８１の両端には、第１アジャスタ８２と第２アジャスタ８３とが取り付けられている。
【００２７】
横ストラップ部８０は、さらに、第２ストラップ８４と、第１リング状部材８５と、バックル８６と、第３ストラップ８７と、第２リング状部材８８と、バックル８９と、を備える。第２ストラップ８４の一端部は、第１アジャスタ８２により折り返される。第１リング状部材８５は、折り返された第２ストラップ８４をまとめる部材である。第２ストラップ８４の他端部には、バックル８６が取り付けられている。バックル８６は、オス型である。第３ストラップ８７の一端部は、第２アジャスタ８３により折り返される。第２リング状部材８８は、折り返された第３ストラップ８７をまとめる部材である。第３ストラップ８７の他端部には、バックル８９が取り付けられている。バックル８９は、メス型である。バックル８６とバックル８９とが結合する。
【００２８】
このような構成により、第２ストラップ８４、第３ストラップ８７の折り返された部分の長さを調整する（例えば、当該折り返された部分を引っ張る）ことで、横ストラップ部８０の長さを調整することができる。
【００２９】
浮力付与具１は、さらに、位置決め用ストラップ９１〜９７、連結具９９Ａ、９９Ｂ（図示せず）を備える。
【００３０】
位置決め用ストラップ９１及び９２の各下端部は、まとめて、第２ストラップ８４のバックル８６近傍部分に縫い付けられる（縫い目Ｎ６参照）。位置決め用ストラップ９３及び９４の各下端部は、まとめて、第３ストラップ８７のバックル８９近傍部分に縫い付けられる（縫い目Ｎ８参照）。位置決め用ストラップ９１及び９３の各上端部は、第２布製部材１２に縫い付けられている（縫い目Ｎ７、Ｎ９参照）。このようにして、第２布製部材１２と、第２ストラップ８４及び第３ストラップ８７とが、位置決め用ストラップ９１及び９２を介して連結され、第２ストラップ８４及び第３ストラップ８７が位置決めされる。また、位置決め用ストラップ９２及び９４の各上端部は、連結具９９Ａ及び連結具９９Ｂにより折り返され、折り返されて重なった部分が縫い合わされている（縫い目Ｎ１０参照）。このようにして、各上端部には、連結具９９Ａ及び連結具９９Ｂそれぞれが取り付けられる。
【００３１】
位置決め用ストラップ９５及び９６それぞれの上端部は、気室袋３０の下端部（気室３０Ａを構成しない部分）に縫い付けられている（縫い目Ｎ１１及びＮ１２参照）。位置決め用ストラップ９５及び９６それぞれの下端部は、連結具９９Ａ及び連結具９９Ｂにより折り返される。このようにして、気室袋３０の下部が、位置決め用ストラップ９５及び９６を介して、着脱可能に収容体１０や、第２ストラップ８４及び第３ストラップ８７に、距離を調整可能に連結される（これによって、気室袋３０、又は、気室袋３０と送気管４０とガス供給装置５０とのセットのみを必要に応じて交換できる）。このようにして、気室袋３０の下部が位置決めされる。
【００３２】
位置決め用ストラップ９７の両端は、当該位置決め用ストラップ９７が輪を形成するように、収容体１０の内側の縁の上部に縫い付けられている。当該輪となった位置決め用ストラップ９７の内部を気室袋３０が通る。これにより、気室袋３０の上部位置の位置決めがなされる。
【００３３】
（浮力付与具１の使用方法や本実施形態の効果など）
気室袋３０は、収容体１０よりも大きく、畳まれて収容体１０に収容される。畳み方は任意である。例えば、気室袋３０をクシャクシャに畳んでもよいし、幅方向に直交する方向を折り線として、気室袋３０をきれいに折り畳んでもよい。なお、気室袋３０の収容時、面ファスナ２０を閉じる。これにより、気室袋３０が収容体１０から飛び出ないようにすることができ、膨らむ前の気室袋３０が着用者の行動を邪魔してしまう不都合を解消できる。また、浮力付与具本体（気室袋３０を収容した収容体１０）の大きさをコンパクトにでき、自衛隊員などにより着用される場合に浮力付与具１（特に、気室袋３０を収容した収容体１０）が他の装備の邪魔になることを防止できる。なお、収容体１０は、気室袋３０を収容することで、厚さ方向（前後方向）に膨らむ。
【００３４】
浮力付与具１は、図６に示すような態様で着用者に着用される。すなわち、着用者は、下から浮力付与具１を被るように着用する。このとき、気室袋３０を収容した収容体１０の内側の空間（クッション６０や、その下の収容体１０の内側の縁で囲まれた空間）に頭を通し、縦ストラップ部７０を背中に回す。また、横ストラップ部８０が胴回りに来るように、縦ストラップ部７０と横ストラップ部８０と収容体１０とにより形成される空間に腕や肩を通す。そして、バックル８６とバックル８９とを結合させる。そして、縦ストラップ部７０及び横ストラップ部８０の長さを調整し、浮力付与具１を着用者にフィットさせる。この実施の形態では、縦ストラップ部７０及び横ストラップ部８０の長さを調整可能としているので、浮力付与具１を着用者にフィットさせることができ、また、着用者による浮力付与具１の着脱も容易である。なお、送気管４０を操作する必要がないとき、つまり、気室３０Ａ内の空気量を調整する必要がないときは、保持部１５により送気管４０の口付け部４１を保持すること（ここでは、口付け部４１を保持部１５の内側に収容すること）で、送気管４０が着用者の行動の邪魔にならないようにすることができる。
【００３５】
着用者が気室袋３０を膨らませて浮力を得ようとするときには、送気管４０の口付け部４１を保持部１５から外し、口付け部４１を押し下げつつ、息（呼気）を送気管４０に吹き込む。吹き込まれた着用者の呼気は、送気管４０を通り、気室袋３０の気室３０Ａに供給され、気室袋３０が徐々に膨らむ。なお、気室袋３０は、畳まれて収容されているので、気室袋３０が膨らむことによって畳まれた部分が広がることにもなる。膨らみ広がる気室袋３０は、収容体１０を内部から押圧し、面ファスナ２０を開かせる（オス面２１とメス面２３とを離間させる）。これによって、収容体１０の縁の結合状態が解除され、気室袋３０が外部に露出する（図７参照）。気室袋３０に呼気が供給されて膨らむほど、浮力付与具１は大きな浮力を着用者に付与する。なお、図７では、ガスボンベ５１が外されている。
【００３６】
この実施の形態では、着用者が呼気で気室袋３０を膨らませて広げたときでも開く強度（オス面２１と、メス面２３との接合強度）で閉じる面ファスナ２０、つまり、着用者（例えば、水上（洋上を含む。）や水中（海中を含む。）を泳ぐ着用者など）が呼気で気室袋３０を膨らませて広げたときでも、収容体１０の外側の縁（例えば、縁取り布１１Ｂ、１２Ｂの部分）の結合状態を解除する強度で当該縁を結合する面ファスナ２０を採用する。このため、着用者は所望する浮力を容易に得ることができる。また、送気管４０が常時外部に露出しているので、着用者は容易に送気管４０を使用でき、着用者は所望する浮力を容易に得ることができる。なお、所望の浮力としては、中性浮力（浮力付与具１を着用した着用者に作用する浮力と重力とが釣り合った状態）を実現する浮力がある（気室袋３０を一杯に膨らませる必要はない。）。
【００３７】
また、この実施の形態では、送気管４０は剛性を有し変形しない。このため、送気管４０が着用者の行動の邪魔になることを防止できる。また、送気管４０の口付け部４１の押し下げ操作という、片手でもできる操作で、気室袋３０の気室３０Ａへの呼気の供給や気室３０Ａからの排気を実現できるので、着用者は容易に浮力付与具１からの浮力を調整できる。特に、この実施の形態では、送気管４０は、左下位置に設けられている。従って、着用者が左手で当該送気管４０を操作することができ、右手で銃などを持つこともできる。また、浮力付与具１は、１気室となっているので、１本の送気管４０のみで浮力を調整できる。このように、浮力付与具１は使い勝手がよい。送気管４０により、気室３０Ａ内の気体の吸排気を可能にしたので、着用者は例えば遠泳するときには浮力を小さくし、海面付近で静止するときには浮力を大きくするなどの調整を容易に行うことができる。つまり、着用者のこれからの行動に応じた所望の浮力を着用者が得ることができる。
【００３８】
また、この実施の形態では、送気管４０の取り付け位置が、気室３０Ａ（気室袋３０）の左下の部分（逆Ｕ字の左足部分）における、幅方向の中央よりも内側なので（図５（Ａ）参照）、気室３０Ａ（気室袋３０）が膨らむことで当該送気管４０（特に口付け部４１）は内側かつ前方に移動し（図５（Ｂ）参照）、特に、口付け部４１が着用者の口元に近づく（図６〜７参照）。このため、着用者は、送気管４０に息を吹き込みやすい。つまり、着用者は浮力を調整しやすい。また、送気管４０の先端（口付け部４１）は、気室袋３０が収容体１０に収納された状態、かつ、当該先端が保持部１５に保持されていない状態において、内側（着用者の口側）を向いている（図６などを参照）。このため、着用者は、送気管４０に息を吹き込みやすい。つまり、着用者は浮力を調整しやすい。また、送気管４０は、第１布製部材１１に形成された貫通孔１１Ｈを通っており、これによって、収容体１０に対して位置決めされている。これにより、気室袋３０が膨らんだときに、送気管４０が意図しない方向に移動してしまうことを防止できる（気室袋３０は膨らんでも変形可能なので、前記位置決めがないと気室袋３０の変形により送気管４０を見失う恐れがある）。また、気室袋３０は、逆Ｕ字の両足の下端が収容体１０などに対して固定（位置決め）されており、また、貫通孔１１Ｈでも位置決めされている。従って、気室袋３０が膨らむ方向を適切にガイドしている。
【００３９】
また、この実施形態では、ガス供給装置５０が設けられており、着用者は必要に応じて作動索５３を引くことで、気室袋３０を一気に膨らませることができる。従って、気室袋３０を大きくした場合には、浮力付与具１を救命胴衣又は浮力補助具としても使用できる。なお、ガス供給装置５０が供給するガスの量は、気室袋３０を一杯に膨らませる量でなくてもよく、例えば、所望の小浮力を得る量であってもよい。ガス供給装置５０を設けることで、場面に応じて浮力を得る方法を選択できる。
【００４０】
（変形例）
この発明は、上記実施の形態に限定されず、上記実施の形態について様々な変形及び応用が可能である（構成要素の削除も可能）。
【００４１】
例えば、送気管４０は、どのようなものでもよく、蓋付きのチューブなどであってもよい。面ファスナ２０は、連続した１つのものでなくてもよく、飛び飛びに複数設けられてもよい。収容体を閉じる手段は、面ファスナ２０に限らず、スナップボタンなどであってもよい。ガス供給装置５０は無くてもよい。また、ガス供給装置５０は、着水したときに自動でガスを要求する装置であってもよい。但し、自動の場合には、着用者は洋上等で浮力を調整する前に浮力が得られてしまう不都合があるので、ガス供給装置５０は、上記実施形態のような手動式が望ましい。浮力付与具１の色は、通常の救命胴衣と同様に、明るい色としてもよいが、上記実施形態のように目立たない暗色系の浮力付与具１の方が上陸作戦などの用途には適する。浮力付与具１は、浮力補助具として使用されてもよい。
【００４２】
（本明細書が開示する構成）
上記実施形態などを一例とする構成を以下に開示する。
【００４３】
（１）着用者に浮力を付与する浮力付与具（例えば、浮力付与具１）であって、
内部に気室を形成する気室袋（例えば、気室袋３０）と、
前記気室袋に接続され、前記着用者により吹き込まれた息を前記気室に送る送気管（例えば、送気管４０）と、
前記気室袋を畳んだ状態で収容する収容体（例えば、収容体１０）と、
前記収容体の第１部分（例えば、第１布製部材１１の外側の縁）と第２部分（例えば、第２布製部材１２の外側の縁）とを結合させて前記収容体を閉じた状態とする結合手段（例えば、面ファスナ２０）と、を備え、
前記送気管は、前記着用者が前記浮力付与具を着用したとき、かつ、前記気室袋が前記収容体に収容されているときに、前記着用者が前記息を吹き込むことが可能な位置に配置され（例えば、図１参照）、
前記結合手段は、前記着用者の前記息により前記畳んだ状態の気室袋が膨らんで広がったときに前記第１部分と前記第２部分との結合が解除される強さで、前記第１部分と前記第２部分とを結合する（例えば、オス面２１とメス面２３との接合強度参照）、
ことを特徴とする浮力付与具。
【００４４】
このような構成によって、着用者が所望する浮力を容易に得ることができる。なお、第１部分と第２部分とは、収容体の縁以外の部分（例えば、上面部）であってもよい。また、結合手段は、スナップボタン、糸での仮留め、ホック、両面テープなどであってもよい。なお、上記の着用者の息は、平均的な肺活量を持つ成人が吹く息や、浮力付与具を使用するグループ（自衛隊など）に属する複数人のうちの平均的な肺活量を持つ人が吹く息や最も肺活量が低い人が吹く息などであればよい。
【００４５】
（２）前記気室袋は、前記着用者の首を囲む逆Ｕ字形状であり、
前記送気管は、前記気室袋の逆Ｕ字の足の部分の幅方向における内側の位置に配置されており、前記着用者が前記浮力付与具を着用した状態で前記気室袋が膨らむと前記送気管における前記息が吹き込まれる部位が逆Ｕ字の内側に向かって移動する（図５〜図７参照）、
ようにしてもよい。
【００４６】
このような構成によって、着用者は息を送気管に容易に吹き込むことができる。
【００４７】
（３）前記送気管は、前記収容体に設けられた貫通孔（例えば、貫通孔１１Ｈ）に挿入された状態で前記気室袋と接続している、
ようにしてもよい。
【００４８】
このような構成によって、送気管の位置が意図せぬ位置になることを防止できる。
【００４９】
（４）前記気室袋に接続され、ガスボンベに充填されたガスを前記気室に供給して当該気室袋を膨らませるガス供給装置（例えば、ガス供給装置５０）をさらに備える、
ようにしてもよい。
【００５０】
このような構成によって、場面に応じて浮力を得る方法を異ならせることができる。
【００５１】
（５）前記送気管は、前記気室内の気体を排出可能である、
ようにしてもよい。
【００５２】
このような構成によって、着用者は次の行動に応じて浮力を調整できる。
【００５３】
（６）着用者に浮力を付与する浮力付与具（例えば、浮力付与具１）であって、
内部に気室を形成する気室袋（例えば、気室袋３０）と、
前記気室袋に接続され、前記着用者により吹き込まれた息を前記気室に送る送気管（例えば、送気管４０）と、
前記気室袋を畳んだ状態で収容する収容体（例えば、収容体１０）と、を備え、
前記気室袋は、膨らんでいない状態から前記着用者の息によって膨らむことが可能である、
ことを特徴とする浮力付与具。
【００５４】
このような構成によって、着用者が所望する浮力を容易に得ることができる。
【符号の説明】
【００５５】
１      浮力付与具
１０      収容体
１１      第１布製部材
１１Ｈ    貫通孔
２０      面ファスナ
３０      気室袋
４０      送気管
４１      口付け部
５０      ガス供給装置
【図１】
2017128280.tif 000003
【図２】
2017128280.tif 000004
【図３】
2017128280.tif 000005
【図４】
2017128280.tif 000006
【図５】
2017128280.tif 000007
【図６】
2017128280.tif 000008
【図７】
2017128280.tif 000009